(57)【要約】【課題】花卉を見栄え良く陳列することが可能な花卉陳列棚を提供する。【解決手段】花卉陳列棚１０は、キャスター１１が取り付けられるベース構造体１２と、このベース構造体１２に取り付けられる複数の柱部材１３ｂ〜１６ｂとを有している。また、柱部材１３ｂ〜１５ｂには、高さ位置を相互にずらした棒状部材２１ａ〜２１ｈ，２４ａ〜２４ｈ，２７ａ〜２７ｈが設けられており、これらの棒状部材２１ａ〜２１ｈ，２４ａ〜２４ｈ，２７ａ〜２７ｈに対して受け棚３１が着脱自在に取り付けられている。これにより、水揚げバケツＢの高さ寸法に応じて受け棚３１の取付位置を変更することができるため、高さ寸法の異なる水揚げバケツＢを並べる場合であっても、水揚げバケツＢの突き出し量をほぼ一定に保つことができ、様々な切花等を見栄え良く陳列することが可能となる。【選択図】図２
2008099589.tif 000002
【特許請求の範囲】
【請求項１】
基部から伸びる複数の柱部材と、高さ位置を相互にずらして前記柱部材間に掛け渡される複数の棒状部材とを備える陳列棚本体と、
前記棒状部材に係合自在となるフック部を備え、花卉が収容される花卉容器を支持する棚部材とを有することを特徴とする花卉陳列棚。
【請求項２】
請求項１記載の花卉陳列棚において、
前記棒状部材に係合自在となるフック部を備え、前記花卉容器の開口部を仕切る仕切部材を有することを特徴とする花卉陳列棚。
【発明の詳細な説明】
【技術分野】
【０００１】
本発明は、花卉を陳列する花卉陳列棚に関する。
【背景技術】
【０００２】
卸売業者から販売店に配送された切花は、水揚げバケツ等の陳列容器に収容した状態で販売されている。このような切花は贈り物として購入されることも多いため、フラワースタンド等の陳列棚を用いて切花を見栄え良く陳列することが重要となっている(たとえば、特許文献１参照)。
【特許文献１】特開２００５−２３０３８０号公報
【発明の開示】
【発明が解決しようとする課題】
【０００３】
しかしながら、用途に応じて様々な寸法の水揚げバケツが用いられるため、寸法の異なる水揚げバケツを陳列棚に対して単に並べるだけでは、購入者に対して乱雑な印象を与えてしまうおそれがある。また、黒色や深緑色の水揚げバケツを露出させて店頭に並べることは、陳列された花卉の見栄えを損なう要因となっていた。
【０００４】
本発明の目的は、様々な花卉を見栄え良く陳列することが可能な花卉陳列棚を提供することにある。
【課題を解決するための手段】
【０００５】
本発明の花卉陳列棚は、基部から伸びる複数の柱部材と、高さ位置を相互にずらして前記柱部材間に掛け渡される複数の棒状部材とを備える陳列棚本体と、前記棒状部材に係合自在となるフック部を備え、花卉が収容される花卉容器を支持する棚部材とを有することを特徴とする。
【０００６】
本発明の花卉陳列棚は、前記棒状部材に係合自在となるフック部を備え、前記花卉容器の開口部を仕切る仕切部材を有することを特徴とする。
【発明の効果】
【０００７】
本発明によれば、高さ位置を相互にずらした複数の棒状部材に対して棚部材を係合自在に取り付けるようにしたので、花卉容器の寸法に応じて棚部材の取付位置を変更することができ、様々な寸法の花卉容器を見栄え良く陳列することが可能となる。また、花卉容器の開口部を仕切る仕切部材を設けることにより、複数種類の花卉や少量の花卉を見栄え良く陳列することが可能となる。
【発明を実施するための最良の形態】
【０００８】
以下、本発明の実施の形態を図面に基づいて詳細に説明する。図１は本発明の一実施の形態である花卉陳列棚１０を示す斜視図であり、図２は図１のＡ−Ａ線に沿って花卉陳列棚１０を示す断面図である。
【０００９】
図１および図２に示すように、水揚げバケツ(花卉容器)Ｂに収容された切花等を陳列する花卉陳列棚１０は、略コ字状に形成されるとともにキャスター１１が取り付けられる基部としてのベース構造体１２と、このベース構造体１２に取り付けられる複数の柱部材１３ａ〜１６ａ，１３ｂ〜１６ｂとを有している。上下方向に伸びる柱部材１３ａ〜１６ａ，１３ｂ〜１６ｂは、ベース構造体１２の側部を構成する長尺部材１２ａに対してほぼ直角に取り付けられており、花卉陳列棚１０の前方から後方にかけて段階的に高くなるように設定されている。
【００１０】
また、１列目に設けられる一対の柱部材１３ａ，１３ｂは、水平方向に伸びる２本の連結部材２０ａ，２０ｂを介して互いに連結されるとともに、水平方向に伸びる複数の棒状部材２１ａ〜２１ｈを介して互いに連結されている。さらに、連結部材２０ａ，２０ｂ間には２本の縦材２２ａ，２２ｂが掛け渡されており、これらの縦材２２ａ，２２ｂによって複数の棒状部材２１ａ〜２１ｈが保持されている。同様に、２列目に設けられる一対の柱部材１４ａ，１４ｂは、水平方向に伸びる２本の連結部材２３ａ，２３ｂおよび複数の棒状部材２４ａ〜２４ｈを介して互いに連結されており、連結部材２３ａ，２３ｂ間に掛け渡される２本の縦材２５ａ，２５ｂによって複数の棒状部材２４ａ〜２４ｈが保持されている。同様に、３列目に設けられる一対の柱部材１５ａ，１５ｂは、水平方向に伸びる２本の連結部材２６ａ，２６ｂおよび複数の棒状部材２７ａ〜２７ｈを介して互いに連結されており、連結部材２６ａ，２６ｂ間に掛け渡される２本の縦材２８ａ，２８ｂによって複数の棒状部材２７ａ〜２７ｈが保持されている。
【００１１】
このように、ベース構造体１２、柱部材１３ａ〜１６ａ，１３ｂ〜１６ｂ、連結部材２０ａ，２０ｂ，２３ａ，２３ｂ，２６ａ，２６ｂおよび棒状部材２１ａ〜２１ｈ，２４ａ〜２４ｈ，２７ａ〜２７ｈ等によって構成される陳列棚本体３０には、水揚げバケツＢを支持する棚部材として複数の受け棚３１が取り付けられている。ここで、図３(Ａ)は受け棚３１を示す平面図であり、図３(Ｂ)は受け棚３１を示す側面図であり、図４(Ａ)〜(Ｃ)は受け棚３１の取付状態を示す説明図である。図３(Ａ)および(Ｂ)に示すように、受け棚３１は、略正方形状の支持板部３１ａと、支持板部３１ａの外周を囲むように設けられる壁部３１ｂとを有しており、受け棚３１の前端には２つのフック部３１ｃが設けられている。これらのフック部３１ｃは高さ位置が相互に異なる棒状部材２１ａ〜２１ｈ，２４ａ〜２４ｈ，２７ａ〜２７ｈに対して係合自在となっており、受け棚３１を取り付けるための棒状部材２１ａ〜２１ｈ，２４ａ〜２４ｈ，２７ａ〜２７ｈを、水揚げバケツＢの大きさに応じて適宜選択することが可能となっている。
【００１２】
つまり、図４(Ａ)に示すように、高さ寸法Ｈ１を備える水揚げバケツＢ１を陳列する場合には、下段部に配置される棒状部材２４ｂに対して受け棚３１が取り付けられ、水揚げバケツＢ１を底上げしない状態で並べることが可能となる。また、図４(Ｂ)に示すように、水揚げバケツＢ１よりも低い高さ寸法Ｈ２を備える水揚げバケツＢ２を陳列する場合には、中段部に配置される棒状部材２４ｆに対して受け棚３１が取り付けられ、水揚げバケツＢ２を底上げした状態(高さ寸法Ｈａ)で並べることが可能となる。さらに、図４(Ｃ)に示すように、水揚げバケツＢ２よりも低い高さ寸法Ｈ３を備える植木鉢(花卉容器)Ｂ３を陳列する場合には、上段部に配置される棒状部材２４ｈに対して受け棚３１が取り付けられ、植木鉢Ｂ３を底上げした状態(高さ寸法Ｈｂ)で並べることが可能となる。なお、受け棚３１のフック部３１ｃを棒状部材２４ａ〜２４ｈに係合させたときには、受け棚３１の前端が他の棒状部材２４ａ〜２４ｇに突き当たるため、受け棚３１の取付状態は安定するようになっている。
【００１３】
このように、水揚げバケツＢ１，Ｂ２や植木鉢Ｂ３の高さ寸法に応じて受け棚３１の取付位置を変更することができるため、水揚げバケツＢ１，Ｂ２や植木鉢Ｂ３の突き出し量をほぼ一定に保つことができ、様々な切花等を見栄え良く陳列することが可能となる。また、図示する花卉陳列棚１０は雛壇状に構成されているが、前述したように、水揚げバケツＢ１，Ｂ２や植木鉢Ｂ３の突き出し量をほぼ一定に保つことにより、前方に陳列される切花等によって後方の水揚げバケツを覆うことが可能となる。さらに、最前列の柱部材１３ａ，１３ｂには販売情報が表示される広告板３２が取り付けられており、この広告板３２によっても最前列の水揚げバケツを覆うことが可能となる。このように、水揚げバケツを覆い隠しながら切花等を全面に押し出すことができるため、切花等を見栄え良く陳列することが可能となっている。
【００１４】
また、陳列棚本体３０に取り付けられた受け棚３１は、水平方向に対して所定角度で傾斜するようになっており、水揚げバケツＢ１，Ｂ２や植木鉢Ｂ３を前傾させた状態で切花等を美しく陳列することが可能となる。さらに、図１に示すように、最後列の柱部材１６ａ，１６ｂには広告板３３が取り付けられており、この広告板３２，３３に所望の販売情報を表示することによって、人目を引くように切花等を陳列することが可能となる。さらに、陳列棚本体３０を構成しているベース構造体１２、柱部材１３ａ〜１６ａ，１３ｂ〜１６ｂ、連結部材２０ａ，２０ｂ，２３ａ，２３ｂ，２６ａ，２６ｂ、棒状部材２１ａ〜２１ｈ，２４ａ〜２４ｈ，２７ａ〜２７ｈは、ボルト部材等を介して互いに結合されており、陳列棚本体３０を各部品に分解することが容易となっている。これにより、未使用時には花卉陳列棚１０の省スペース化を図ることができ、運搬時には花卉陳列棚１０を容易に運搬することが可能となっている。
【００１５】
続いて、図５(Ａ)は陳列棚本体３０に取り付けられる仕切網(仕切部材)４０を示す平面図であり、図５(Ｂ)は仕切網４０を示す側面図であり、図６は仕切網４０の取付状態を示す説明図である。まず、図５(Ａ)および(Ｂ)に示すように、仕切網４０は線材を用いて構成されており、格子状に形成される仕切部４０ａと、この仕切部４０ａの一端に回動自在に取り付けられる２つのフック部４０ｂとを有している。また、２つのフック部４０ｂは連結部材４０ｃを介して互いに連結されており、フック部４０ｂの剛性が高められている。図６に示すように、仕切網４０は最上段の棒状部材２４ｈにフック部４０ｂを介して取り付けられており、水揚げバケツＢの開口部を覆うように取り付けられている。
【００１６】
ここで、図７(Ａ)は仕切網４０を取り付ける前の陳列状態を示す斜視図であり、図７(Ｂ)は仕切網４０を取り付けた後の陳列状態を示す斜視図である。図７(Ａ)に示すように、販売が進むことによって切花Ｆが少なくなると、切花Ｆを美しく陳列することが困難となるため、図７(Ｂ)に示すように、水揚げバケツＢの開口部を覆うように仕切網４０が取り付けられる。このように、水揚げバケツＢの開口部を仕切網４０によって仕切ることにより、少ない切花Ｆをまとめて配置することができ、切花Ｆを見栄え良く陳列することが可能となる。さらに、図示する場合には、花卉陳列棚１０に対して仕切網４０を取り付けることにより、水揚げバケツＢの開口部を４つに仕切ることができるため、異なる種類の切花を１つの水揚げバケツＢに綺麗に収容して販売することも可能となる。
【００１７】
また、前述したように、仕切網４０のフック部４０ｂに対して仕切部４０ａは回動自在に設けられるため、陳列棚本体３０に対して仕切網４０を取り付けた場合であっても、水揚げバケツＢを容易に出し入れすることが可能である。ここで、図８は水揚げバケツＢの出し入れ状態を示す説明図である。図８に示すように、水揚げバケツＢを出し入れする際には、仕切網４０の仕切部４０ａを引き起こして開口状態を確保することにより、棒状部材２４ｈに対する仕切網４０の取付状態を保ちながら、水揚げバケツＢを容易に出し入れすることが可能となる。
【００１８】
本発明は前記実施の形態に限定されるものではなく、その要旨を逸脱しない範囲で種々変更可能であることはいうまでもない。たとえば、図示する花卉陳列棚１０にあっては９つの受け棚３１を備えているが、受け棚３１の数量を増減させるようにしても良い。また、受け棚３１のフック部３１ｃを係合する棒状部材２１ａ〜２１ｈ，２４ａ〜２４ｈ，２７ａ〜２７ｈは、図示する本数に限られることなく、想定される水揚げバケツＢの大きさに応じて適宜変更することが可能である。さらに、図示する仕切網４０にあっては、矩形状の枠体に十字状の線材を組み合わせることにより、水揚げバケツＢの開口部を４つに仕切る構造となっているが、水揚げバケツＢの開口部を更に多くの区画に仕切っても良く、線材を略Ｕ字状に折り曲げることにより、水揚げバケツＢの開口部を３つに仕切るようにしても良い。なお、図示する花卉陳列棚１０は、ステンレスやスチール等の金属材料を用いて形成されているが、金属材料に限られることはなく、木材やプラスチックを用いて花卉陳列棚を形成するようにしても良いことはいうまでもない。
【図面の簡単な説明】
【００１９】
【図１】本発明の一実施の形態である花卉陳列棚を示す斜視図である。
【図２】図１のＡ−Ａ線に沿って花卉陳列棚を示す断面図である。
【図３】(Ａ)は受け棚を示す平面図であり、(Ｂ)は受け棚を示す側面図である。
【図４】(Ａ)〜(Ｃ)は受け棚の取付状態を示す説明図である。
【図５】(Ａ)は陳列棚本体に取り付けられる仕切網を示す平面図であり、(Ｂ)は仕切網を示す側面図である。
【図６】仕切網の取付状態を示す説明図である。
【図７】(Ａ)は仕切網を取り付ける前の陳列状態を示す斜視図であり、(Ｂ)は仕切網を取り付けた後の陳列状態を示す斜視図である。
【図８】水揚げバケツの出し入れ状態を示す説明図である。
【符号の説明】
【００２０】
１０    花卉陳列棚
１１    キャスター
１２    ベース構造体(基部)
１３ａ，１３ｂ    柱部材
１４ａ，１４ｂ    柱部材
１５ａ，１５ｂ    柱部材
１６ａ，１６ｂ    柱部材
２０ａ，２０ｂ    連結部材
２１ａ〜２１ｈ    棒状部材
２２ａ，２２ｂ    縦材
２３ａ，２３ｂ    連結部材
２４ａ〜２４ｈ    棒状部材
２５ａ，２５ｂ    縦材
２６ａ，２６ｂ    連結部材
２７ａ〜２７ｈ    棒状部材
２８ａ，２８ｂ    縦材
３０    陳列棚本体
３１    受け棚(棚部材)
３１ａ  支持板部
３１ｂ  壁部
３１ｃ  フック部
３２，３３    広告板
４０    仕切網(仕切部材)
４０ａ  仕切部
４０ｂ  フック部
４０ｃ  連結部材
【図１】
2008099589.tif 000003
【図２】
2008099589.tif 000004
【図３】
2008099589.tif 000005
【図４】
2008099589.tif 000006
【図５】
2008099589.tif 000007
【図６】
2008099589.tif 000008
【図７】
2008099589.tif 000009
【図８】
2008099589.tif 000010